(57)【要約】【課題】  従来、接合が難しかったガラス等の家具素材を狂いの影響を排除しながら容易に接合可能とする。【解決手段】  表面に環状溝３を凹設した雌側接合部品２を部材の一方に固着すると共に、上記の環状溝に上端が内挿される有底筒状の雄側接合部品１３を他方の部材に固着し、雄側接合部品の底部の貫通孔１５から貫挿したボルト１４を雌側接合部品に螺着することにより両者を固定する部材の接合構造にして、雄側接合部品の先端に対し雌側接合部品の環状溝に遊びを持たせると共に、雌側接合部品に螺着されるボルトに対し雄側接合部品の貫通孔に遊びを持たせる。【選択図】      図１
0003121491.tif 000002
【実用新案登録請求の範囲】
【請求項１】
表面に環状溝を凹設した雌側接合部品を部材の一方に固着すると共に、上記の環状溝に上端が内挿される有底筒状の雄側接合部品を他方の部材に固着し、雄側接合部品の底部の貫通孔から貫挿したボルトを雌側接合部品に螺着することにより両者を固定する部材の接合構造にして、雄側接合部品の先端に対し雌側接合部品の環状溝に遊びを持たせると共に、雌側接合部品に螺着されるボルトに対し雄側接合部品の貫通孔に遊びを持たせたことを特徴とする家具部材の接合構造。
【請求項２】
雌側接合部品が固着される部材はテーブルの天板、雄側接合部品が固着される部材は脚同士が互いに連結された脚体である請求項１記載の家具部材の接合構造。
【考案の詳細な説明】
【技術分野】
【０００１】
この考案は、家具における部材同士の接合構造に関し、特にテーブルの天板と脚を接合するのに最適な接合構造に関する。
【背景技術】
【０００２】
天板にガラスを採用したテーブルが公知である。この場合、ガラスに脚を直接固着したり（特許文献１）、脚を設けたフレーム内にガラス製の天板を嵌め込んだり（特許文献２、３）、或いは自立する脚上にガラス製の天板を載置することが行なわれている。
【特許文献１】実開平６−６８５３０号公報
【特許文献２】特開２００３−１４４２３４号公報
【特許文献３】実開平５−４６３２３号公報
【考案の開示】
【考案が解決しようとする課題】
【０００３】
しかしながら、フレーム内にガラス製の天板を嵌め込んだテーブルは天板の１００％がガラスではないので、ガラスの質感を生かしたテーブルを実現したい場合には不適当である。又、自立する脚上にガラス製の天板を載置した場合には上記の要求は達成できるが、単に載置しているに過ぎないので、天板が不安定となる問題が生じる。
【０００４】
一方、特許文献１の図１に記載のようにガラス製の天板に脚を直接固着することも技術的には可能ではあるが、例えば、ガラスにアルミを高周波溶着する等、固着手段が限られることから固着は製造段階において行なわざるを得ず、ノックダウン式のテーブルを実現することが困難であり、搬送や収容に支障を来した。
【課題を解決するための手段】
【０００５】
この考案は以上の従来技術の問題点を解消するための家具部材の接合構造を実現することを目的として創作されたものであり、表面に環状溝を凹設した雌側接合部品を部材の一方に固着すると共に、上記の環状溝に上端が内挿される有底筒状の雄側接合部品を他方の部材に固着し、雄側接合部品の底部の貫通孔から貫挿したボルトを雌側接合部品に螺着することにより両者を固定する部材の接合構造にして、雄側接合部品の先端に対し雌側接合部品の環状溝に遊びを持たせると共に、雌側接合部品に螺着されるボルトに対し雄側接合部品の貫通孔に遊びを持たせたことを特徴とする。
【考案の効果】
【０００６】
よって、この考案によれば部材同士は互いに着脱自在の雄雌の接合部品を介して接合されるので、この考案を例えばガラス製の天板を有するテーブルに実施した場合には天板と脚を必要に応じて取り外せるノックダウン式のテーブルが実現され、搬送や収容が容易になる効果を奏する。又、上記の場合においてガラス製の天板の固着対象は雌側の接合部品のみなので、この部品のみをガラスに固着可能な素材により構成すれば足りる。
【０００７】
更に、雄側接合部品の先端に対し雌側接合部品の環状溝に遊びを持たせると共に、雌側接合部品に螺着されるボルトに対し雄側接合部品の貫通孔に遊びを持たせているので、天板に固着した雌側接合部品と脚に固着した雄側接合部品の位置が設計位置よりずれていても、上記の遊びの範囲でずれを吸収することが可能となる作用を有する。これは、脚を互いに連結した脚体のように、４つの脚を同時に天板に接合しなければならない場合に、天板側及び脚側双方の精度の狂いを吸収することが可能となり特に有用である。
【考案を実施するための最良の形態】
【０００８】
以下、この考案の具体的実施例を添付図面に基づいて説明する。図１乃至図６はこの考案の接合構造をテーブルの天板と脚の接合に際し実施した例を示す図である。図中符合１は天板であり、ここではガラス製のものを想定している。図中符合１０は互いに連結した脚の集合からなる脚体であり、ここでは水平に配した連結部材１１の両端にＸ状の脚１２、１２を連結した構成よりなる。
【０００９】
図中符合２は天板１側に固着される雌側接合部品であり、偏平円柱状のブロックの表面に環状の溝３が凹設されると共に、中央に螺子孔４が設けられた構成よりなる。ここではこの接合部品２をアルミニウムにより構成し、高周波溶着により天板１の裏面に固着している。
【００１０】
一方、図中符合１３は脚側に固着される雄側接合部品であり、ここでは連結部材１１端に連結されるＸ状の脚１２の上方両端に側面を固着している。この雄側接合部品１３は上記の雌側接合部品２の環状溝３に上端が内挿される有底筒状に構成されるものであり、底部には先端を雌側接合部品２の螺子孔４に螺着するためのボルト１４を貫挿するための貫通孔１５が穿設される。
【００１１】
そして、雄側接合部品１３の先端の外径に対し雌側接合部品２の環状溝３の直径を大きく設定することにより両者間に遊びを持たせると共に、雌側接合部品に螺着されるボルト１４の外径に対し雄側接合部品の貫通孔１５の内径を大きく設定することにより両者間に遊びを持たせている。
【００１２】
以上の構成よりなるテーブルは、脚体１０の上端４箇所に固着された雄側接合部品１３を天板１裏面の４箇所に固着された雌側接合部品２に固定することにより脚体と天板とが接合される。上記の各接合部品同士の固定は、図１及び図５に示すように雄側接合部品１３の先端を雌側接合部品２に凹設した環状溝３に内挿し、更に雄側接合部品の底部の貫通孔１５から貫挿したボルト１４を雌側接合部品の螺子孔４に螺着することにより行なう。この場合、製造の現実においては天板１に対する雌側接合部品２の取り付け精度を正確に保つことは難しく、又、収縮や歪みにより脚体１０の上端４箇所に固着された雄側接合部品１３の位置を設計位置に保つことも難しい。しかしながら、前記したように雌側接合部品の環状溝３及び雄側接合部品の貫通孔１５には遊びを持たせているので、図６及び図７に示すように天板に固着した雌側接合部品と脚に固着した雄側接合部品との固着位置が設計位置よりずれていても、上記の遊びの範囲でずれを吸収することとなる。
【図面の簡単な説明】
【００１３】
【図１】この考案の接合構造に使用する雌側接合部品及び雄側接合部品の斜視図。
【図２】この考案の接合構造を実施したテーブルの正面図。
【図３】同上、側面図。
【図４】同上、平面図
【図５】同上、要部の一部切り欠き断面図。
【図６】同上、要部の一部切り欠き断面図。
【図７】同上、要部の一部切り欠き断面図。
【符号の説明】
【００１４】
２                雌側接合部品
３                環状溝
４                螺子孔
１３              雌側接合部品
１４              ボルト
１５              貫通孔
【図１】
0003121491.tif 000003
【図２】
0003121491.tif 000004
【図３】
0003121491.tif 000005
【図４】
0003121491.tif 000006
【図５】
0003121491.tif 000007
【図６】
0003121491.tif 000008
【図７】
0003121491.tif 000009